(57)【要約】【課題】輸送時のケース体の破損を防止可能な空気調和装置の室外ユニットを提供すること。【解決手段】底板１３上に配置された圧縮機２１，２２を囲う箱状のケース体３０を備え、このケース体３０は、側板部３２の下部を外側に折り曲げて底板１３に固定される脚片３２Ａに、輸送時における該ケース体３０の変位により伸縮する伸縮部４１，４２を設けた。【選択図】図３
2014194322.tif 000002
【特許請求の範囲】
【請求項１】
ベース板上に配置された圧縮機と室外熱交換器とを備えた空気調和装置の室外ユニットにおいて、
前記圧縮機を囲う箱状のケース体を備え、このケース体は、側板の下部を外側に折り曲げて前記ベース板に固定される脚片に、輸送時における該ケース体の変位により伸縮する伸縮部を設けたことを特徴とする空気調和装置の室外ユニット。
【請求項２】
前記ケース体の外側にアキュムレータを備え、このアキュムレータと前記ケース体とを連結すると共に、この連結方向に沿って前記伸縮部が伸縮することを特徴とする請求項１に記載の空気調和装置の室外ユニット。
【請求項３】
前記ケース体は、前記アキュムレータと対向する面に開口部を備え、この開口部を通じて前記圧縮機と前記アキュムレータとを接続する配管を引き出したことを特徴とする請求項２に記載の空気調和装置の室外ユニット。
【請求項４】
前記伸縮部は、前記脚片を前記ベース板に固定する少なくとも２つのねじ間に設けられることを特徴とする請求項１乃至３のいずれかに記載の空気調和装置の室外ユニット。
【請求項５】
前記伸縮部は、板金を折り曲げて形成されると共に貫通孔を備え、前記脚片に設けた切欠部に固着されていることを特徴とする請求項１乃至４のいずれかに記載の空気調和装置の室外ユニット。
【発明の詳細な説明】
【技術分野】
【０００１】
本発明は、圧縮機を囲うケース体を備えた空気調和装置の室外ユニットに関する。
【背景技術】
【０００２】
従来、ベース板上に配置された圧縮機と室外熱交換器とを備えた空気調和装置の室外ユニットが知られている。この種の室外ユニットでは、圧縮機に雨水や雪が降りかかることを防止するため、もしくは、圧縮機の作動音を遮蔽するために、圧縮機を収容する箱状のケース体を設けたものが提案されている（例えば、特許文献１参照）。
【先行技術文献】
【特許文献】
【０００３】
【特許文献１】特開平０９−１３７９６９号公報
【発明の概要】
【発明が解決しようとする課題】
【０００４】
ところで、上記した構成では、ケース体は板金を折り曲げて箱状に形成され、ベース板上に固定されている。しかし、近年、軽量化を実現するために板金の板厚が薄くなる傾向にある。このため、室外ユニットを輸送中に、ケース体に過大な荷重がかかった場合には、該ケース体が輸送時の変形によって破損してしまう事態が生じうる。
本発明は、上述した事情に鑑みてなされたものであり、輸送時のケース体の破損を防止できる空気調和装置の室外ユニットを提供することを目的とする。
【課題を解決するための手段】
【０００５】
上記目的を達成するため、本発明は、ベース板上に配置された圧縮機と室外熱交換器とを備えた空気調和装置の室外ユニットにおいて、前記圧縮機を囲う箱状のケース体を備え、このケース体は、側板の下部を外側に折り曲げて前記ベース板に固定される脚片に、輸送時における該ケース体の変位により伸縮する伸縮部を設けたことを特徴とする。
【０００６】
この構成において、前記ケース体の外側にアキュムレータを備え、このアキュムレータと前記ケース体とを連結すると共に、この連結方向に沿って前記伸縮部が伸縮しても良い。更に、前記ケース体は、前記アキュムレータと対向する面に開口部を備え、この開口部を通じて前記圧縮機と前記アキュムレータとを接続する配管を引き出しても良い。
【０００７】
また、前記伸縮部は、前記脚片を前記ベース板に固定する少なくとも２つのねじ間に設けられても良い。また、前記伸縮部は、板金を折り曲げて形成されると共に貫通孔を備え、前記脚片に設けた切欠部に固着されていても良い。
【発明の効果】
【０００８】
本発明によれば、ケース体は、側板の下部を外側に折り曲げてベース板に固定される脚片に、輸送時における該ケース体の変位により伸縮する伸縮部を設けたため、この伸縮部が伸縮することで、脚片に過剰な負荷がかかることが防止され、ケース体の破損が防止される。
【図面の簡単な説明】
【０００９】
【図１】本実施の形態に係る空気調和装置の室外ユニットを示す斜視図である。
【図２】室外ユニットの内部構成を示す斜視図である。
【図３】ケース体の脚片を示す斜視図である。
【図４】脚片と伸縮部とを示す分解斜視図である。
【発明を実施するための形態】
【００１０】
以下、本発明の実施の形態について図を参照しながら以下に説明する。
図１は、本実施の形態に係る空気調和装置の室外ユニットを示す斜視図である。
空気調和装置１０は、室外ユニット１１と、複数の室内機（不図示）とを備え、これら室外ユニット１１と室内機とは、ガス管及び液管（不図示）により接続されている。ガス管は上記室内機の室内熱交換器（不図示）の一端に接続され、液管は上記室内熱交換器の他端に接続される。なお、以下に述べる前後、左右及び上下といった方向は、室外ユニット１１を設置した状態でその前面側から見た場合の方向を示している。
【００１１】
室外ユニット１１は、側面に配置された室外熱交換器１８を通して内部に外気を取り込んで上方に空気を吹き出す上吹き出し型の室外ユニットであり、上下方向に長い箱型の筐体１２を有している。筐体１２は、略矩形の底板（ベース板）１３と、底板１３の４つの角部にそれぞれ立設される柱１４と、柱１４の上端に設けられて筐体１２の上面を塞ぐ天板１５とを有している。
筐体１２の上部には、送風機１６が設けられており、送風機１６は、天板１５に設けられた吹出口１５ａから上方に空気を吹き出す。送風機１６の左右の側面及び後面は、複数の側面板１７により塞がれる。
【００１２】
室外熱交換器１８は、底板１３の左右の側縁及び後縁に沿う略コ字状に形成されており、底板１３から室外ユニット１１の上部まで延び、側面板１７の下方において室外ユニット１１の左右の側壁及び後壁を構成している。
筐体１２の前面は、着脱可能な前面パネル１９によって塞がれる。また、筐体１２内の前面側の上部には、空気調和装置１０の動作を制御する制御部が収納される電装箱（不図示）が設けられている。
【００１３】
図２は、室外ユニット１１の内部構成を示す斜視図である。
筐体１２の内部には、能力一定型の定速圧縮機２１、能力可変型のインバーター型圧縮機２２、アキュムレータ２３、オイルセパレータ（不図示）、四方弁２５、及び、これらを繋ぐ冷媒配管等が配置されている。
【００１４】
定速圧縮機２１、インバーター型圧縮機２２、オイルセパレータ及びアキュムレータ２３は、それぞれ円筒形のタンク状に形成されており、筐体１２の底板１３上に立設されて固定されている。本実施形態では、定速圧縮機２１とインバーター型圧縮機２２とは、底板１３の前面側に並べて配置され、インバーター型圧縮機２２の背後にオイルセパレータが配置されている。これら定速圧縮機２１、インバーター型圧縮機２２及びオイルセパレータは、底板１３上に配置されるケース体３０内に収容されている。
このケース体３０は、折り曲げた板金を組み合わせて箱状に形成されている。具体的には、後板部３１（図３参照）と左右の側板部３２，３３は、平面視で略コ字状に折り曲げられて一体に形成され、この上に天板部３４がねじ止めされる。さらに、側板部３２，３３及び天板部３４の前面側に前板部（不図示）がねじ止めされることにより、定速圧縮機２１、インバーター型圧縮機２２、及び、オイルセパレータを囲むケース体３０が構成される。また、ケース体３０は、側板部３２，３３の下端をそれぞれ折り曲げた脚片を備え、この脚片と底板１３とをねじ止めすることにより、底板１３上に固定されている。
【００１５】
本実施形態では、定速圧縮機２１、インバーター型圧縮機２２をケース体３０に収容することにより、これら定速圧縮機２１及びインバーター型圧縮機２２に雨水や雪が降りかかることを防止できると共に、定速圧縮機２１及びインバーター型圧縮機２２の作動音を遮蔽して騒音低減を実現できる。更には、ケース体３０内にオイルセパレータが収容されることにより、ケース体３０外に比べて、ケース体３０内の保温性を確保することができ、低外気温時におけるオイルセパレータの分離能力を向上させることができる。
【００１６】
定速圧縮機２１とインバーター型圧縮機２２とは、並列に接続されている。定速圧縮機２１及びインバーター型圧縮機２２の吸込側には吸込管の一端が接続され、この吸込管の他端はアキュムレータ２３を経由して四方弁２５に接続されている。
定速圧縮機２１とインバーター型圧縮機２２の吐出側には吐出管２７の一端が接続され、この吐出管２７の他端はオイルセパレータを経由し、ケース体３０の天板部３４を貫通して四方弁２５に接続されている。天板部３４を貫通する孔は、例えば、後板部３１側に開口して切欠かれており、吐出管２７が接続された状態で天板部３４の着脱を可能としている。また、天板部３４には、吐出管２７の周囲に上記した切欠きを塞ぐシート部材３５が配置されている。
【００１７】
アキュムレータ２３は、図３に示すように、ケース体３０の背後に配置されている。具体的には、アキュムレータ２３は、左右一対の架台３８，３８に設置され、アキュムレータ２３の下端部２３Ａと底板１３との間に配管スペース３９を設けている。また、ケース体３０は、アキュムレータ２３と対向する後板部３１の下部に開口部３１Ａを備える。この開口部３１Ａは、上記した配管スペース３９と対向する位置に形成され、該開口部３１Ａを通じて、アキュムレータ２３の下端部２３Ａと各圧縮機の吸込側とを接続する吸込管４０や、オイル戻し弁４３を有するオイル戻し管４４がケース体３０外に引き出されている。
また、アキュムレータ２３は、ケース体３０の後板部３１の上部と連結される連結部２３Ｂを備える。この連結部２３Ｂはねじ孔（不図示）を備え、後板部３１に設けた孔部（不図示）を通じてケース体３０内からねじ止めすることで連結される。この構成では、ケース体３０の上部をアキュムレータ２３の連結部２３Ｂに連結することにより、例えば、室外ユニット１１の輸送時の振動によるケース体３０の揺れを抑制できる。
【００１８】
ところで、筐体１２内にケース体３０を設ける構成では、軽量化を実現するために板金の板厚が薄くなる傾向にある。本実施形態においては、板金の板厚は従前の２ｍｍから０．６ｍｍへと変更している。
板厚が薄くなると、当然ケース体３０の剛性が低下するため、振動によってケース体３０が変動（変位）しやすい状態となる。本実施形態では、ケース体３０の上部を、ケース体３０の背後に配置されるアキュムレータ２３に連結することにより、ケース体３０の揺れを抑制している。
一方で、アキュムレータ２３は、縦長の円筒状に形成されるため重心位置も高く、振動によってアキュムレータ２３が揺れた場合には、アキュムレータ２３の揺れがケース体３０に伝達される。
ケース体３０は、側板部３２，３３の下端部を外側に折り曲げて脚片３２Ａを形成しているため、この脚片３２Ａは、室外ユニット１１の前後方向（連結方向（図３中Ｘ方向））に延出している。このため、アキュムレータ２３が上記した連結方向に揺れた場合、この揺れによる荷重が脚片３２Ａのねじ止め部に集中し、このねじ止め部に近い脚片３２Ａの曲げ部に亀裂が生じる問題があった。
【００１９】
本構成では、輸送時の振動によるケース体３０の脚片３２Ａの破損を防止する構成に特徴を有する。具体的には、図３に示すように、ケース体３０の脚片３２Ａには、ケース体３０が上記連結方向に変動した際に、変動する方向に伸縮する第１伸縮部４１及び第２伸縮部４２が設けられている。なお、図示は省略したが、反対側の側板３３の脚片にも同様な伸縮部が形成されている。
第１伸縮部４１及び第２伸縮部４２は、図４に示すように、それぞれ脚片３２Ａとは別体である帯状の板金を折り曲げて形成されており、脚片３２Ａの一部を切欠いた切欠部５０，５１に、例えば溶接等の手段によって固着されている。
第１伸縮部４１は、一端側に設けられ、ねじが貫通する貫通孔４１Ａを有するねじ部４１Ｂと、他端側に設けられ、脚片３２Ａに固着される固着部４１Ｃと、ねじ部４１Ｂ及び固着部４１Ｃ間に設けられる曲げ部４１Ｄとを備える。
第２伸縮部４２は、略中央部に設けられ、ねじが貫通する貫通孔４２Ａを有するねじ部４２Ｂと、両端側にそれぞれ設けられ、脚片３２Ａに固着される固着部４２Ｃと、ねじ部４２Ｂ及び固着部４２Ｃ間にそれぞれ設けられる曲げ部４２Ｄとを備える。
本実施形態では、第１伸縮部４１の曲げ部４１Ｄは、矩形状（クランク状）に折り曲げられ、第２伸縮部４２の曲げ部４２Ｄは、三角形状に折り曲げられているが、曲げ部の形状は、長手方向に伸縮するものであればどのようなどのような形状であって良い。
【００２０】
この構成によれば、アキュムレータ２３が連結方向（前後方向）に揺れて、ケース体３０が変動した場合であっても、ケース体３０の脚片３２Ａに設けた第１伸縮部４１及び第２伸縮部４２が変動に応じて伸縮することで、脚片３２Ａに過剰な負荷がかかることが防止され、該脚片３２Ａの曲げ部の亀裂が防止され、ひいては、ケース体３０の破損が防止される。
【００２１】
通常、ケース体３０を底板１３に固定する場合には、脚片３２Ａを少なくとも２本のねじ（ボルト）用いて固定する。このため、本実施形態では、各伸縮部４１，４２に設けられる曲げ部４１Ｄ，４２Ｄは、ねじ止めされるねじ部４１Ｂ，４２Ｂ間に配置される。この構成によれば、ケース体３０が前後いずれに変動しても、この変動に追従することができる。
また、上記した伸縮部は、脚片と一体に形成することも可能である。本実施形態では、第１伸縮部４１及び第２伸縮部４２を脚片３２Ａとは別体に形成し、これらを溶接によって固着することにより、伸縮する脚片を容易に製作することができる。さらに、第１伸縮部４１及び第２伸縮部４２の板金の厚みを調整することにより、ケース体３０の変動により柔軟に対応する構成とすることができる。
【００２２】
以上、説明したように、本実施形態によれば、底板１３上に配置された定速圧縮機２１、インバーター型圧縮機２２と室外熱交換器１８とを備えた空気調和装置の室外ユニット１１において、定速圧縮機２１及びインバーター型圧縮機２２を囲う箱状のケース体３０を備え、このケース体３０は、側板部３２，３３の下部をそれぞれ外側に折り曲げて底板１３に固定される脚片３２Ａに、輸送時における該ケース体３０の変位により伸縮する第１伸縮部４１及び第２伸縮部４２を設けたため、これら第１伸縮部４１及び第２伸縮部４２が伸縮することで、脚片に３２Ａに過剰な負荷がかかることが防止され、ケース体３０の破損が防止される。
【００２３】
また、本実施形態によれば、ケース体３０の背後にアキュムレータ２３を備え、このアキュムレータ２３とケース体３０の後板部３１とを連結すると共に、この連結方向に沿って第１伸縮部４１及び第２伸縮部４２が伸縮するため、アキュムレータ２３が連結方向（前後方向）に揺れて、ケース体３０が変動した場合であっても、ケース体３０の脚片３２Ａに設けた第１伸縮部４１及び第２伸縮部４２が変動に応じて伸縮することで、脚片３２Ａに過剰な負荷がかかることが防止され、該脚片３２Ａの曲げ部の亀裂が防止され、ひいては、ケース体３０の破損が防止される。
【００２４】
また、本実施形態によれば、ケース体３０は、アキュムレータ２３と対向する後板部３１に開口部３１Ａを備え、この開口部３１Ａを通じて、定速圧縮機２１及びインバーター型圧縮機２２とアキュムレータ２３とを接続する吸込管４０及びオイル戻し管４４を引き出した構成としたため、ケース体３０が連結方向（前後方向）に揺れた場合であっても、吸込管４０及びオイル戻し管４４に、過剰な応力が作用することが防止される。
【００２５】
また、本実施形態によれば、第１伸縮部４１の曲げ部４１Ｄ及び第２伸縮部４２の曲げ部４２Ｄは、脚片３２Ａを底板１３に固定する少なくとも２つのねじ部４１Ｂ、４２Ｂ間に設けられるため、ケース体３０が前後いずれに変動しても、この変動に追従することができる。
【００２６】
また、本実施形態によれば、第１伸縮部４１及び第２伸縮部４２は、板金を折り曲げて形成されると共に貫通孔４１Ａ，４２Ａを有するねじ部４１Ｂ，４２Ｂを備え、脚片３２Ａに設けた切欠部５０，５１に固着されているため、伸縮する脚片を容易に製作することができるとともに、第１伸縮部４１及び第２伸縮部４２の板金の厚みを調整することにより、ケース体３０の変動により柔軟に対応する構成とすることができる。
【００２７】
以上、本発明を実施するための形態について述べたが、本発明は既述の実施形態に限定されるものではなく、本発明の技術思想に基づいて各種の変形および変更が可能である。例えば、本実施形態では、ケース体３０は、側板部３２，３３の脚片３２Ａに伸縮部を設けているが、前板部及び後板部３１の下端部を折り曲げた脚片に伸縮部を設けても良い。
【符号の説明】
【００２８】
１１  室外ユニット
１２  筐体
１３  底板（ベース板）
１６  送風機
１８  室外熱交換器
２１  定速圧縮機（圧縮機）
２２  インバーター型圧縮機（圧縮機）
２３  アキュムレータ
２３Ａ  下端部
２３Ｂ  連結部
３０  ケース体
３１  後板部
３１Ａ  開口部
３２，３３  側板部
３２Ａ  脚片
３４  天板部
４０  吸込管（配管）
４１  第１伸縮部（伸縮部）
４１Ｂ  ねじ部
４１Ｃ  固着部
４１Ｄ  曲げ部
４２  第２伸縮部（伸縮部）
４２Ｂ  ねじ部
４２Ｃ  固着部
４２Ｄ  曲げ部
５０，５１    切欠部
【図１】
2014194322.tif 000003
【図２】
2014194322.tif 000004
【図３】
2014194322.tif 000005
【図４】
2014194322.tif 000006